(57)【特許請求の範囲】
【請求項１】
車両のエンジンルーム内前方に配される熱交換器であって、
内部を冷媒が通過する複数本のチューブ（１０）と、
前記チューブの両側に配される複数のアウターフィン（２０）とを有し、
前記チューブは断面偏平形状を有するように湾曲された帯状板材からなるチューブ本体
（１１）を有し、
前記チューブ本体（１１）は、
湾曲した湾曲端部（１１ａ）と、
前記湾曲部の両端から延び、対向して配される一対の平板部（１１ｐ）と、
前記帯状部材の一端に配された長端部（１１ｅ）と、
前記帯状部材の他端に配され、前記長端部よりも短い短端部（１１ｆ）と、
折り返した前記長端部によって前記短端部を挟んだ状態でかしめたカシメ部とを有し、
前記カシメ部は、車両の前方側となるように配されるとともに、前記チューブの両側に
配された前記アウターフィンのうち一方に近接するようにオフセットしており、
前記カシメ部（１１ｂ）において、折り返された前記長端部（１１ｅ）の表層部が、前
記平板部（１１ｐ）の表層部と同一面にあることを特徴とする熱交換器。
【請求項２】
車両のエンジンルーム内前方に配される熱交換器であって、
内部を冷媒が通過する複数本のチューブ（１０）と、
前記チューブの端部に接続されるヘッダタンク（３，４）とを有し、
前記チューブは断面偏平形状を有するように湾曲された帯状板材からなるチューブ本体（１１）を有し、
前記チューブ本体（１１）は、
湾曲した湾曲端部（１１ａ）と、
前記湾曲部の両端から延び、対向して配される一対の平板部（１１ｐ）と、
前記帯状部材の一端に配された長端部（１１ｅ）と、
前記帯状部材の他端に配され、前記長端部よりも短い短端部（１１ｆ）と、
折り返した前記長端部によって前記短端部を挟んだ状態でかしめたカシメ部とを有し、
前記カシメ部は、車両の前方側となるように配されるとともに、前記カシメ部（１１ｂ）のうち、前記ヘッダタンクの近傍となる部位には切欠部（１１ｋ）が形成されていることを特徴とする熱交換器。
【発明の詳細な説明】
【技術分野】
【０００１】
本発明は、車両のエンジンルーム内前方に配置された熱交換器等に使用されるチューブを備えた熱交換器に関する。
【背景技術】
【０００２】
自動車用空調装置の冷媒凝縮器に適用される熱交換器においては、放熱性向上、コスト低減のために構成部品の薄肉化が行われてきた。一方、車両側のエンジンルームの縮小により、通常の放熱器が車両のグリル開口の近傍に設置され、放熱量の確保から車両前方開口部の面積が拡大傾向にある。これに伴って、エンジンルームに配置される熱交換器に対して、飛び石等の飛来物が衝突し易くなってきている。
【０００３】
そこで、熱交換器を高性能に保持しつつ、熱交換器の仕様変更による飛び石等による被害（チッピング）を抑える対策が必要になってきた。そこで、アルミニウム製の押出形材による一体生形型品がチューブとして使用される従来の熱交換器では、特許文献１に開示されるように、円弧状側壁部を平坦壁部よりも肉厚にすると共に、肉厚部を風上側に配置して飛び石による変形を防止している。
【０００４】
一方、特許文献２に記載されるように、内部にインナーフィンが配されるチューブを用いることによって熱交換効率を向上させた凝縮器が知られている。特許文献２に示される凝縮器は車両用空調装置等に用いられるものであり、チューブとして、板材を折り曲げ、板材の端部同士をかしめることによって、湾曲端部と、対向する一対の平板部と、湾曲端部の反対側において板材の一方の端部を板材の他方の端部を挟みこむように折り曲げ、かしめたカシメ部と、カシメ部と平板部と接続する傾斜部とを有する断面扁平形状のチューブが用いられている。
【先行技術文献】
【特許文献】
【０００５】
【特許文献１】特開平１１−４４４９８号公報
【０００６】
【特許文献２】特開２０１２−５２７８３号公報
【発明の概要】
【発明が解決しようとする課題】
【０００７】
しかし、特許文献２に開示の凝縮器では、カシメ部が空気流れ上流側となるようにチューブが配されており、チューブのカシメ部がチッピング耐力の向上に寄与するが、剛性の弱い傾斜部や平行部の存在により、インナーフィンチューブが破断し易いという問題点があった。即ち、飛び石等がカシメ部に衝突すると、カシメ部は衝撃に耐えるが剛性の強弱の境界部で応力差が発生し、傾斜部又は平行部が変形し、変形部に亀裂等が発生して、破断し易くなっていた。
【０００８】
本発明は、上記問題に鑑み、チューブの平行部とカシメ部における剛性差による応力差によりチューブが破断するのを防止すると共に、耐食性を向上させることができるチューブを使用した熱交換器を提供するものである。
【課題を解決するための手段】
【０００９】
上記課題を解決する本発明の第１の発明は、車両のエンジンルーム内前方に配される熱交換器であって内部を冷媒が通過する複数本のチューブ（１０）と、チューブの両側に配される複数のアウターフィン（２０）とを有し、チューブは断面偏平形状を有するように湾曲された帯状板材からなるチューブ本体（１１）を有し、チューブ本体（１１）は、湾曲した湾曲端部（１１ａ）と、湾曲部の両端から延び、対向して配される一対の平板部（１１ｐ）と、帯状部材の一端に配された長端部（１１ｅ）と、帯状部材の他端に配され、長端部よりも短い短端部（１１ｆ）と、折り返した長端部によって短端部を挟んだ状態でかしめたカシメ部とを有し、カシメ部は、車両の前方側となるように配されるとともに、チューブの両側に配されたアウターフィンのうち一方に近接するようにオフセットしていることを特徴としている。また、本発明の第２の発明は、車両のエンジンルーム内前方に配される熱交換器であって、内部を冷媒が通過する複数本のチューブ（１０）と、チューブの端部に接続されるヘッダタンク（３，４）とを有し、チューブは断面偏平形状を有するように湾曲された帯状板材からなるチューブ本体（１１）を有し、チューブ本体（１１）は、湾曲した湾曲端部（１１ａ）と、湾曲部の両端から延び、対向して配される一対の平板部（１１ｐ）と、帯状部材の一端に配された長端部（１１ｅ）と、帯状部材の他端に配され、長端部よりも短い短端部（１１ｆ）と、折り返した長端部によって短端部を挟んだ状態でかしめたカシメ部とを有し、カシメ部は、車両の前方側となるように配されるとともに、カシメ部（１１ｂ）のうち、ヘッダタンクの近傍となる部位には切欠部（１１ｋ）形成されていることを特徴としている。
【００１０】
本発明の第１の発明によれば、カシメ部は、車両の前方側となるように配されるとともに、チューブの両側に配されたアウターフィンのうち一方に近接するようにオフセットしているので、飛び石がカシメ部の先端に衝突する場合、衝突した飛び石はアウターフィンの先端部にも当接する。そのため、飛び石がカシメ部に衝突する場合でも、チューブのカシメ部に応力が加わり難くなり、変形を抑制することができ、チューブの防食効果を保持することができる。また、本発明の第２の発明によれば、カシメ部のうち、ヘッダタンクの近傍部分に切欠部を設けておけば、飛び石等の衝突による衝撃がカシメ部に加わっても、カシメ部の変形を切欠部で止めることができ、、飛び石等による損傷を更に抑えることができる。
【００１１】
尚、上記に付した符号は、後述する実施形態に記載の具体的実施態様との対応関係を示す一例である。
【図面の簡単な説明】
【００１２】
【図１】本発明を適用する熱交換器の全体構成を示す斜視図である。
【図２】チューブの長手方向に垂直な方向の断面図である。
【図３】一方の表層部に犠牲防食層を備える帯状板材を示す断面図である。
【図４】図３に示した帯状板材を、犠牲防食層を外側にして折り曲げ加工し、内部にインナーフィンを収容してチューブを作る工程を示す工程図である。
【図５】図４に示す工程によって製造された本発明の第１の実施例を示す拡大断面図である。
【図６】本発明の第２の実施例を示す部分拡大断面図である。
【図７】本発明の第３の実施例を示す部分斜視図である。
【図８】本発明の第４の実施例を示す部分斜視図である。
【発明を実施するための形態】
【００１３】
以下、図面を参照して、本発明の一実施形態を説明する。各実施態様について、同一構成の部分には、同一の符号を付してその説明を省略する。
【００１４】
図１に示すように、本発明が適用される熱交換器の１つである車両用空調装置に用いられる冷媒凝縮器１は、内部を冷媒が通過する複数本のチューブ１０と、アウターフィン２０とが交互に積層され、冷媒と通過空気とを熱交換させるコア部２と、チューブ１０の端部に接続される第１と第２のヘッダタンク３、４と、チューブ１０の積層方向においてコア部２の外側に配される補強部材であるインサート２５とを有している。
【００１５】
コア部２は、気相冷媒を凝縮する凝縮部２ａと、凝縮部２ａを通過した冷媒をさらに冷却する過冷却部２ｂとを有している。第１のヘッダタンク３に.は冷媒を圧縮機（図示せず）から第１のヘッダタンク３内部へと流入させる流入部３１、及び第１のヘッダタンク３から冷媒を流出させる流出部３２が設けられている。また、第２のヘッダタンク４には、凝縮部２ａを通過した冷媒を気液分離させる受液器３０が設けられている。内部にインナーフィン１２（後述する）を設けられたチューブ１０は、第１と第２のヘッダタンク３、４に形成された挿通穴（図示せず）に挿入するように組付けられた後、炉内で一体ろう付けされる。
【００１６】
図２に示すように、チューブ１０は断面扁平形状を有する管状の部材であり、その内部には、冷媒と通過空気との熱交換効率を向上させるためのインナーフィン１２が配されている。チューブ１０は、表面にろう材がクラッドされた帯状のアルミニウム製板材（例えば、板厚０．１５〜０．３ｍｍ）の幅方向略中央部を折り曲げることよって形成されており、チューブ１０の幅方向の一端は略円弧状に湾曲した湾曲端部１１ａとなっている。湾曲端部１１ａからは、対向して配される一対の平板部１１ｐが延設して設けられ、湾曲端部１１ａとは反対側にはカシメ部１１ｂが設けられている。
【００１７】
図３は、本発明のインナーフィンを備えたチューブを製造する帯状板材６の断面を示すものである。本発明のチューブを製造するアルミニウム合金からなる帯状板材６の一方の表層部には母材であるアルミニウム合金よりも電位的に卑である亜鉛などを含む合金からなる犠牲防食層７が設けられている。
【００１８】
図４は、図３に示した帯状板材６を、犠牲防食層７（図４では破線で示してある）を外側にして折り曲げ加工し、内部にインナーフィン１２を収容して本発明の第１の実施例のチューブ１０を作る工程を示すものである。帯状板材６は、薄肉（例えば厚さ０．１５〜０．３ｍｍ）のアルミニウム合金で形成されており、両端部からの距離が異なる部位で、犠牲防食層７を外側にして円弧状に折り曲げられて湾曲端部１１ａが形成される。帯状板材６は略平行になるまで折り曲げられて平行部１１ｐが形成される。帯状板材６の両方の端部は、湾曲端部１１ａからの距離がほぼ同じ部位で内方に向けて折り曲げられて所定長さの斜面部１１ｃが形成された後、谷折りされて両端部が張り合わされるように折り曲げ加工され、断面が扁平形状を有するチューブ本体１１となるように加工される。
【００１９】
チューブ１０の内部に配されるインナーフィン１２は、チューブ本体１１と同様に薄肉（例えば厚さ０．０５〜０．３ｍｍ）のアルミニウム製帯状板をローラ加工することによって波状に形成され、両端部に平板部１５，１６が設けられる。インナーフィン１２の波状部の折り返し部１４はチューブ１１の内壁面１３にろう付けされる。インナーフィン１２の一方の平板部１５の端部は、谷折りされて平行になった２つの端部１１ｅ、１１ｆの間に挟み込まれた状態で組み付けられる。
【００２０】
インナーフィン１２の平板部１５を挟み込んだ帯状板材６の２つの端部１１ｅ、１１ｆは、この実施例では一端である端部１１ｅの方が、他端である端部１１ｆよりも長くなっている。よって、端部１１ｅは、端部１１ｆと平板部１５を挟み込んだ状態で端部１１ｆ側に折り曲げられ、かしめられて結合され、カシメ部１１ｂが形成される。
【００２１】
この結果、第１実施例のチューブ１０は、図５に示す状態になる。図５に示されるチューブ１０では、帯状板材６の犠牲防食層７がどの位置でも外側に位置している。このように形成されたチューブ１０をアウターフィン２０と交互に積層した後、チューブ１０の端部を第１と第２のヘッダタンク３、４の挿通穴（図示しない）に挿通するように組付けた後、炉内でろう付けされる。
【００２２】
また、カシメ部１１ｂは帯状板材６が３枚とインナーフィン１２の平板部１５が重ね合されてかしめられているので剛性が高い。一方、カシメ部１１ｂに続く斜面部１１ｃや平行部１１ｐは、１枚の帯状板材６が配置されているだけであるので、カシメ部１１ｂに比べて剛性が低い。よって、カシメ部１１ｂに応力が加わると変形し易い。
【００２３】
この結果、本発明のチューブ１０を採用した冷媒凝縮器１に飛び石等が衝突すると、インナーフィン１２を内蔵するチューブ１０は、カシメ部１１ｂが車両の前方を向いた状態で冷媒凝縮器１に取り付けられているために、飛び石等はカシメ部１１ｂに衝突する。チューブ１０のカシメ部１１ｂに応力が加わると、例えば、傾斜部１１ｃが変形して衝撃を吸収することができるが、変形により傾斜部１１ｃに亀裂が入ることがある。しかし、第１の実施例のチューブ１０は、飛び石等で斜面部１１ｃが損傷しても、傾斜部１１ｃの表層部が犠牲防食層７で覆われているので、チューブ１０の防食効果を保持することができる。この結果、チューブ１０の斜面部１１ｃが損傷しても、チューブ１０の冷媒通路部の破壊につながらない。
【００２４】
また、チューブ１０の外表面は犠牲防食層７で覆われているため、ろう付け部である端部１１ｆと端部１１ｅの張り合わせ部が露出されない。そのため、空気中に含まれる異物などによりろう付け部が腐食してしまうことを防止できる。
【００２５】
図６は、本発明の第２の実施例のチューブの１０Ａを示すものである。第１の実施例のチューブ１０では、カシメ部１１ｂが、平行部１１ｐを長手方向に二等分する位置に形成されていた。一方、第２の実施例のチューブ１０Ａでは、カシメ部１１ｂが帯状板材６の短い方の端部１１ｆ側にオフセットされて形成されている。平板部１５も帯状板材６の短い方の端部１１ｆ側にオフセットされて形成されている。即ち、第２の実施例では、カシメ部１１ｂにおいて、折り返された帯状板材６の長い方の端部１１ｅの、犠牲防食層７で覆われた表層部が、平行部１１ｐの犠牲防食層７で覆われた表層部と同一面にある。
【００２６】
この結果、第２の実施例では、カシメ部１１ｂがチューブ１０Ａの両側に設けられるアウターフィン２０の一方に接近した位置にある。このため、カシメ部１１ｂがアウターフィン２０の一方に沿って設けられており、飛び石がカシメ部１１ｂの先端に衝突する場合でも、衝突した飛び石はアウターフィン２０の先端部にも当接する。この構造により、衝突した飛び石等がカシメ部１１ｂに直接衝突し難くなり、チューブ１０Ａのカシメ部１１ｂに応力が加わり難くなって、傾斜部１１ｃが変形し難くなる。
【００２７】
よって、飛び石がカシメ部１１ｂの先端に衝突する場合でも、傾斜部１１ｃの変形を抑えて、チューブ１０Ａの防食効果を保持することができる。また、カシメ部１１ｂにおいて、折り曲げた端部１１ｅの先端側がアウターフィン２０と近接するようにオフセットして配されるため、ろう付け部である端部１１ｆと端部１１ｅの張り合わせ部に空気中の異物が進入しにくい構造となっており、チューブ１０Ａの防食効果を保持することが可能になる。
【００２８】
図７は、本発明の第３の実施例のチューブ１０Ｂを示すものであり、冷媒凝縮器１を第１のヘッダタンク３の一部と共に示すものである。図７にはチューブ１１の平行部１１ｐに取り付けられるアウターフィン２０も示してある。第３の実施例のチューブ１０Ｂは、例えば第１の実施例のチューブ１０のカシメ部１１ｂに、先端部から平行部１１ｐに向かう切欠部１１ｋを設けたものである。切欠部１１ｋは、チューブ１０Ｂの両端部に接続される冷媒凝縮器１の第１と第２のヘッダタンク３，４（第２のヘッダータンク４は図示を省略）の近傍に、カシメ部１１ｂを平行部１１ｐ方向に切り欠いて設けている。切欠部１１ｋは、冷媒凝縮器１の第１と第２のヘッダタンク３，４の近傍にそれぞれ１つずつ設ければ良い。切欠部１１ｋは、図６に示した第２の実施例のチューブ１０Ａのカシメ部１１ｂにも同様に設けることができる。
【００２９】
このように、カシメ部１１ｂの、第１と第２のヘッダタンク３、４の近傍部分に切欠部１１ｋを設けておけば、図７に符号Ｃで示す飛び石等の衝突による衝撃がカシメ部１１ｂに加わっても、カシメ部１１ｂの変形が切欠部１１ｋで止まる。この結果、カシメ部１１ｂに加わる衝撃Ｃが第１と第２のヘッダタンク３，４に伝わりにくくなり、飛び石等による冷媒凝縮器１の第１と第２のヘッダタンク３，４の損傷が低減され、冷媒凝縮器１からの冷却媒体の漏れが生じ難くなる。
【００３０】
図８は、本発明の第４の実施例のチューブ１０Ｃを示すものである。第４の実施例のチューブ１０Ｃでは、第３の実施例の切欠部１１ｋに代えて、カシメ部１１ｂの一部をチューブ１０Ｃの長手方向或いはカシメ部１１ｂの厚み方向に潰したつぶし部１１ｗとしている。つぶし部１１ｗにおいても、チューブ１０Ｃのその他の部位と同様に、外表面は犠牲防食層７によって覆われており、端部１１ｆと端部１１ｅの張り合わせ部は露出されていない。
【００３１】
つぶし部１１ｗは、図６に示した第２の実施例のインナーフィンチューブ１０Ａのカシメ部１１ｂにも同様に設けることができる。このようなつぶし部１１ｗを形成することによって、端部１１ｅの折り曲げ部の内周面と、端部１１ｆとの間の隙間を小さくすることができ、カシメ部１１ｂの未ろう付け部を減らすことができる。
【００３２】
以上説明したように、本発明では、チューブ本体１１を構成する帯状板材６の表層部に犠牲防食層７を形成して、犠牲防食層７が外側を向くように帯状板材６を加工してチューブ１０を形成したので、防食効果にすぐれ、飛び石等による損傷を少なくすることができる。また、カシメ部１１ｂの配置や、カシメ部１１に切欠部１１ｋを設けることによって、飛び石等による損傷を更に抑えることができる。そして、以上説明した実施例に示されるチューブ１０を、図１に示した冷媒凝縮器１に適用すれば、防食効果にすぐれ、飛び石等による損傷が少ない信頼性の高い冷媒凝縮器１を実現することができる。
【００３３】
なお、上述した実施の形態では、内部にインナーフィンが配されるチューブについて述べたが、板材を折り曲げ、端部どうしをかしめ固定する、断面扁平形状のチューブであればよく、インナーフィンが内部に設けられないチューブにも本発明を適用することができる。
【００３４】
上述した実施の形態では、ヘッダタンクが一体に形成された冷媒凝縮器（熱交換器）について述べたが、ヘッダタンクをチューブの挿通穴が形成されたヘッダプレートと、ヘッダプレートを覆うタンク部とに分割されたヘッダタンクを有する冷媒凝縮器に適用することもできる。
【００３５】
また、上述した実施の形態では、車両用空調装置の冷媒凝縮器に適用した形態について述べたが、冷媒蒸発器やラジエータなどにも本発明を適用することができ、本発明を適用する熱交換器は、その用途を限定されるものではない。
【符号の説明】
【００３６】
１    冷媒凝縮器（熱交換器）
２    コア部
６    帯状板材
７    犠牲防食層
１０    チューブ
１１    チューブ本体
１１ｂ    カシメ部
１１ｃ    傾斜部
１１ｅ、１１ｆ、１５ａ    端部
１１ｋ    切欠部
１１ｐ    平行部
１２    インナーフィン
１５，１６    平板部
２０    アウターフィン
【図１】
0005970924.tif 000002
【図２】
0005970924.tif 000003
【図３】
0005970924.tif 000004
【図４】
0005970924.tif 000005
【図５】
0005970924.tif 000006
【図６】
0005970924.tif 000007
【図７】
0005970924.tif 000008
【図８】
0005970924.tif 000009